(57)【要約】【課題】本考案は、ケーブルに安定し接続するパワーを伝送するための導電端子を有する電源用コネクタを提供する。【解決手段】本考案の電源用コネクタは、相手コネクタの嵌合部分を収容するための収容穴が形成される絶縁ボディと、前記絶縁ボディに装着され、前記収容穴に延在する接触部とケーブルの導体に接続するテール部とを含む複数の導電端子と、を含む。少なくともの一つのパワーを伝送するための前記導電端子のテール部には、ケーブルの導体にそれぞれ接続するように二つの半田部が形成される。【選択図】図２
0003121438.tif 000002
【実用新案登録請求の範囲】
【請求項１】
相手コネクタの嵌合部分を収容するための収容穴が形成される絶縁ボディと、
前記絶縁ボディに装着され、前記収容穴に延在する接触部とケーブルの導体に接続されるテール部とを含む複数の導電端子と、
を含む、パワーを伝送するためのケーブルに接続される電源用コネクタにおいて、
少なくともの一つのパワーを伝送するための前記導電端子のテール部には、ケーブルの導体にそれぞれ接続されるように二つの半田部が形成されることを特徴とする電源用コネクタ。
【請求項２】
前記導電端子は、パワーを伝送するための第１導電端子と第２導電端子とを含むことを特徴とする請求項１に記載の電源用コネクタ。
【請求項３】
前記第１導電端子と第２導電端子とは、前記テール部に二つの半田部がそれぞれ形成されることを特徴とする請求項２に記載の電源用コネクタ。
【請求項４】
前記第１導電端子は、電源のアノードとして、主体部と、該主体部から外側へ斜めに延在するように形成される一対の弾性接触部と、前記主体部の頂端の両側よりそれぞれ横向きに延在するように形成される一対のテール部と、を含み、前記各テール部の末端には、弧形状を呈する半田部がそれぞれ設けられることを特徴とする請求項２に記載の電源用コネクタ。
【請求項５】
前記第２導電端子は、電源のカソードとして、固持部と、該固持部から前向きへ延出するように前記収容穴内に収容される接触部と、前記固持部から後向きに延在するように前記絶縁ボディに突出する一対のテール部とを含み、前記各テール部は、特定の距離で離れる一対の半田部からなることを特徴とする請求項２記載の電源用コネクタ。
【請求項６】
前記第２導電端子の半田部には、溶接剤を収容するための通孔がそれぞれ形成されることを特徴とする請求項５記載の電源用コネクタ。
【考案の詳細な説明】
【技術分野】
【０００１】
本考案は、電源用コネクタに関し、パワーを伝送するための電源用コネクタに関するものである。
【背景技術】
【０００２】
電源用コネクタは電子分野に広く応用され、それぞれ電源のアノードとしての内層端子とカソードとしての外層端子とを有し、前記電源用コネクタはこれら端子のアノードとカソードにより電子部材に使用電圧を供給するものである。当該電源用コネクタの従来技術は特許文献１と特許文献２を参照されたい。電源用コネクタは一般に、絶縁ボディと、パワーを伝送するためのアノードとしての第１端子及びカソードとしての第２端子と、信号を伝送するための信号端子とを含み、該電源用コネクタがケーブルに接続される際に、ケーブルの導体が前記第１端子と第２端子と信号端子とにそれぞれ電気的に導通している。
【特許文献１】米国特許第６，６９５，６４４号明細書
【特許文献２】特許第３４２２４８５号公報
【考案の開示】
【考案が解決しようとする課題】
【０００３】
しかしながら、電源用コネクタをケーブルに接続するために、第１端子と第２端子と信号端子をケーブルの導体に半田付けする。半田付け過程において、接続されない虞があることで、前記第１端子と第２端子と信号端子がケーブルの導体との接続を安定して行うことができなくなる。また、操作者が該電源用コネクタを引っ張る際に、操作者の引張力が大きくなりすぎると、前記第１端子と第２端子と信号端子がケーブルの導体との半田接続を安定して行うことができなくなり、パワーを伝送する品質に影響を与える。そこで、本考案は、以上の点に鑑みてなされたものであり、改良した新型の電源用コネクタを提供することを目的とする。
【０００４】
本考案は、ケーブルに安定して接続されるパワーを伝送するための導電端子を有する電源用コネクタを提供することを目的とする。
【課題を解決するための手段】
【０００５】
前記目的を達成するために、本考案の電源用コネクタは、相手コネクタの嵌合部分を収容するための収容穴が形成される絶縁ボディと、前記絶縁ボディに装着され、前記収容穴に延在する接触部とケーブルの導体に接続されるテール部とを含む複数の導電端子と、を含む。少なくともの一つのパワーを伝送するための前記導電端子のテール部には、ケーブルの導体にそれぞれ接続されるように二つの半田部が形成される。
【考案の効果】
【０００６】
従来の技術に比べると、本考案は以下の長所がある。電源用コネクタの導電端子には、ケーブルの導体に半田付けされるように二つの半田部がそれぞれ配置され、これにより、その中の一方の半田部をケーブルの導体に安定して接続できない際でも、他方の半田部がケーブルの導体に電気的に接続されることによりパワーを安定して伝送することが保障される。
【考案を実施するための最良の形態】
【０００７】
以下、本考案の電源用コネクタの好ましい実施の形態について、添付図面を参照して説明する。本考案に係る電源用コネクタ１は絶縁ボディ２と、パワーを伝送するための第１導電端子３及び第２導電端子４と、信号を伝送するための第３導電端子５と、を含む。本実施状態において、該電源用コネクタ１は弾性部材６とナツト７も有する。
【０００８】
図１及び図３を参照して、前記絶縁ボディ１は、中央に相手コネクタ（図示せず）の嵌合部分を収容するための収容穴２１０が形成される第１本体２１と、絶縁ボディ１の後面から前記収容穴２１０内に延在する円柱状を呈する第２本体２２と、を含み、前記第２本体２２の軸方向に沿う位置には直径が小さい収容孔２２０が形成され、前記収容穴２１０の先端には第１本体２１の先端面２０１を突出するように環状体の凸縁２１１が形成される。前記第１本体２１の先端面２０１と第２本体２２の先端面（参照記号なし）とは、同一平面に位置する。
【０００９】
前記絶縁ボディ２の後端には、上下方向で第１部分２１２と、第２部分２１３と、第３部分２１４とが階段状を呈するように配列され、第１部分２１２の後面が第２部分２１３の後方に位置し、第２部分２１３の後面が第３部分の後方に位置する。前記第１部分２１２の両側壁には凹部２１２０がそれぞれ窪んで形成され、該第１部分２１２の中央には、開口が矩形状を呈する第１収容溝２１２１と、該第１収容溝２１２１の内壁に形成される一対の第１スライド溝２１２２と、前記第１収容溝２１２１の内壁に形成されかつ前記第１スライド溝２１２２に連通する第１係止溝２１２３とが配置される。また、第１部分２１２に前記凹部２１２０にそれぞれ連通する一対のスロット２１２４が形成される。
【００１０】
前記第２部分２１３は、前記第２本体２２へ延出し且つ第２本体２２の収容孔２２０に連通する第２収容溝２１３０と、該第２収容溝２１３０の内壁にそれぞれ形成される相手コネクタの部分を収容するための半円状を呈する凹溝２１３１と、第２収容溝２１３０の周囲に形成される前記第１部分２１２のスロット２１２４に連通する第３収容溝２１３２と、を含む。該第２部分２１３に前記第３収容溝２１３２の垂直部分に連通する拡充溝２１３３も配置され、かつ前記第２収容溝２１３０の底壁に第２係止溝２１３５（図５に示す）が形成される。前記第３部分２１４には前記弾性部材６を収容するための第４収容溝２１４０が形成される。また、前記第２部分２１３の下面には前記第４収容溝２１４０と収容穴２１０とに連通する拡充溝（参照記号なし）が形成される。
【００１１】
図１乃至図３と図５を参照すると、第１導電端子３は電源のアノードとして、絶縁ボディ２の後方から前記第２部分２１３の第３収容溝２１３２内に挿入される。該第１導電端子３は、Ｕ字形状を呈する主体部３０と、該主体部３０から外側へ斜めに延在するように形成される一対の弾性接触部３１と、主体部３０の頂端の両側よりそれぞれ横向きに延在するように形成される一対のテール部３２と、を含み、前記各テール部３２の末端には、弧形状を呈する半田部３２０がそれぞれ設けられる。前記主体部３０の底面の中央には前記第２係止溝２１３５に係合できる錠止片３００が形成され、また、該主体部３０の表面には、前記第３収容溝２１３２の内壁に干渉して係合できる複数の突起３０１が形成される。
【００１２】
第１導電端子３が絶縁ボディ２に挿入された際に、前記錠止片３００が第２係止溝２１３５に係合され、且つ前記突起３０１が第３収容溝２１３２の内壁に係合されることにより、該第１導電端子３の後方向への移動が防止でき、従って第１導電端子３が絶縁ボディ２内に固定される。前記弾性接触部３１が前記拡充溝２１３３に沿って収容穴２１０内に延在すると、相手コネクタに接続される。前記テール部３２と主体部３０との間の屈曲部（参照符合なし）は前記スロット２１２４内に係止され、半田部３２０は前記凹部２１２０の底壁の上方に位置する。
【００１３】
図１乃至図３と図５を参照すると、前記第２導電端子４は電源のカソードとして、絶縁ボディ２の後方から前記第１収容溝２１２１内に挿入される。該第２導電端子４は、固持部４０と、該固持部４０から前向きへ延出するように収容穴２１０内に収容される接触部４１と、前記固持部４０から後向きに延在するように絶縁ボディ２に突出するテール部４２と、を含む。固持部４０の両側には前記第１収容溝２１２１の内壁に形成される第１係止溝２１２３に係止できる錠止片４００が形成される。前記テール部４２は、特定の距離で離れる一対の半田部４２０からなり、各半田部４２０の中央には、溶接剤（図示せず）を収容するための通孔４２１がそれぞれ形成される。
【００１４】
図２と図６とを参照すると、信号を伝送するための第３導電端子５は、前記絶縁ボディ２の第２収容溝２１３０内に装着され、前記第２本体２２の収容孔２２０内に延在するようにフォーク状を呈する接触部５１と、該接触部５１から後方へ延在するように形成される固持部５０と、固持部５０から後方へ延在するように絶縁ボディ２を突出する半田部５２と、を含む。前記固持部５０の両側に前記第２収容溝２１３０の内壁に干渉して係合できる複数の突刺（参照記号なし）がそれぞれ形成され、これにより該第３導電端子５が絶縁ボディ２に固持される。
【００１５】
前記弾性部材６は、平板状の固持部６０と、該固持部６０の一端から折り曲がって後方へ延在するように形成される弾性アーム６１とを含む。前記弾性アーム６１に固持部６０から遠く離れる方向へ突出する突出部６１０が形成され、前記固持部６０の後部に、一対の係止片６００が形成される。該弾性部材６は拡充溝に沿って絶縁ボディ２に装着され、固持部６０が前記第４収容溝２１４０に完全に装着され、突出部６１０が前記収容穴２１０に収容される。電源用コネクタ１が相手コネクタに嵌合する際に、該弾性部材６が相手コネクタの対応する部分に係合することにより、電源用コネクタ１と相手コネクタとの間の安定した接続に弾性力を提供する。
【００１６】
本実施状態において、該電源用コネクタ１は、ナツト７も有し、前記絶縁ボディ２の側面に該ナツト７を装着する取付溝２１５が形成され、取付溝２１５の内壁にナツト７に干渉して係合する複数の凸状リブ２１６が形成され、これによりナツト７が絶縁ボディ２に固持される。電源用コネクタ１が使用する際に、ボルト（図示せず）がナツトのネジ孔に係合することにより、該電源用コネクタ１が電子部材のケースに取り付けられる。
【００１７】
前記第１導電端子３と第２導電端子４は、ケーブル（図示せず）の導体に半田付けされるように二つの半田部３２０、４２０とがそれぞれ配置され、これにより、その中の一方の半田部３２０、４２０をケーブルの導体に安定して接続できない際に、他方の半田部３２０、４２０がケーブルの導体に電気的に接続されることによりパワーを安定して伝送することが保障される。
【００１８】
以上本考案についてよい実施の形態を参照して詳細に説明したが、実施形態はあくまでも例示的なものであり、これらに限定されるものではない。また前記の説明は、本考案に基づきなしうる細部の修正或は変更など、いずれも本考案の請求範囲に属するものとする。
【図面の簡単な説明】
【００１９】
【図１】本考案に係る電源用コネクタの分解斜視図である。
【図２】図１に示す電源用コネクタの他の角度から見た分解斜視図である。
【図３】本考案に係る電源用コネクタの組合せ斜視図である。
【図４】図３に示す電源用コネクタの他の角度から見た組合せ斜視図である。
【図５】図３に示す電源用コネクタのＶ−Ｖ線で切断した断面図である。
【図６】図３に示す電源用コネクタのＶＩ−ＶＩ線で切断した断面図である。
【符号の説明】
【００２０】
１  電源用コネクタ
２  絶縁ボディ
２１  第１本体
２０１  先端面
２１０  収容穴
２１１  凸縁
２１２  第１部分
２１３  第２部分
２１４  第３部分
２１５  取付溝
２１６  凸状リブ
２１２０  凹部
２１２１  第１収容溝
２１２２  第１スライド溝
２１２３  第１係止溝
２１２４  スロット
２１３０  第２収容溝
２１３１  凹溝
２１３２  第３収容溝
２１３３  拡充溝
２１３５  第２係止溝
２１４０  第４収容溝
２２  第２本体
２２０  収容孔
３  第１導電端子
３０  主体部
３１、４１、５１  接触部
３２、４２  テール部
３００、４００  錠止片
３０１  突起
３２０、４２０、５２  半田部
４  第２導電端子
４０、５０、６０  固持部
４２１  通孔
５  第３導電端子
６  弾性部材
６１  弾性アーム
６１０  突出部
７  ナツト
７０  ネジ孔
【図１】
0003121438.tif 000003
【図２】
0003121438.tif 000004
【図３】
0003121438.tif 000005
【図４】
0003121438.tif 000006
【図５】
0003121438.tif 000007
【図６】
0003121438.tif 000008